(57)【特許請求の範囲】
【請求項１】
底板（２）と、この底板（２）の側部から立設される側板（３）と、この側板（３）の外側面（３ａ）を外側方から被覆する閉鎖弁カバー（４）とを有する室外機ケーシング（１）を備えた空気調和機の室外機において、水を案内して電装品箱（８）側への水の浸入を防止する水案内用凹溝（２０）を、上記側板（３）の外側面（３ａ）に、その上方横辺（２２）から一方の縦辺（１８）に沿って、設け、上記水案内用凹溝（２０）のうち上記側板（３）の上方横辺（２２）に沿う水平部（２６）を、その先端部（２９）が上記縦辺（１８）側の連設部（２７）よりも上方に位置するように傾斜させ、上記水平部（２６）の先端部（２９）を上記閉鎖弁カバー（４）の上端縁（３６）より上方に位置させると共に、この水平部（２６）の連設部（２７）をこの閉鎖弁カバー（４）の上端縁（３６）より下方に位置させたことを特徴とする空気調和機の室外機。
【発明の詳細な説明】
【０００１】
【発明の属する技術分野】
この発明は、空気調和機の室外機に関するものである。
【０００２】
【従来の技術】
空気調和機の室外機は、底板と、この底板の側部から立設される側板と、この側板の外側面を外側方から被覆する閉鎖弁カバーとを有する室外機ケーシングを備えている。そして、水が、この側板と閉鎖弁カバーとの間やこの側板の電装品サービス用の開口部等から室外機ケーシングに浸入して電装品箱の電装品部や端子盤部へ浸入しないように、防滴カバーやシール用シートを配設したりしていた。
【０００３】
【発明が解決しようとする課題】
そのため、従来の室外機では、全体の部品点数が多く、組立作業が面倒であったり、コスト高となったりしていた。
【０００４】
この発明は、上記従来の課題を解決するためになされたものであって、その目的は、電装品箱側への水の浸入を防止することが可能であって、しかもコストの低減も図ることが可能な空気調和機の室外機を提供することにある。
【０００５】
【課題を解決するための手段】
そこで請求項１の空気調和機の室外機は、底板２と、この底板２の側部から立設される側板３と、この側板３の外側面３ａを外側方から被覆する閉鎖弁カバー４とを有する室外機ケーシングを備えた空気調和機の室外機において、水を案内して電装品箱８側への水の浸入を防止する水案内用凹溝２０を、上記側板３の外側面３ａに、その上方横辺２２から一方の縦辺１８に沿って、設け、上記水案内用凹溝２０のうち上記側板３の上方横辺２２に沿う水平部２６を、その先端部２９が上記縦辺１８側の連設部２７よりも上方に位置するように傾斜させ、上記水平部２６の先端部２９を上記閉鎖弁カバー４の上端縁３６より上方に位置させると共に、この水平部２６の連設部２７をこの閉鎖弁カバー４の上端縁３６より下方に位置させたことを特徴としている。
【０００６】
この請求項１の空気調和機の室外機では、上方から閉鎖弁カバー４側へ流下する水は、この水案内用凹溝２０へ流れ込み、この水案内用凹溝２０内を上記一方の縦辺１８に沿って流れる。このため、電装品箱８側への水の浸入を防止して、電装品箱８の電装品部や端子盤部側への水の浸入を防止できる。また、上方横辺２２に沿う水平部２６を、その先端部２９が縦辺１８側の連設部２７よりも上方に位置するように傾斜させているので、この水平部２６に流入した水は、連設部２７側へ流れやすくなる。さらに、水平部２６の先端部２９を閉鎖弁カバー４の上端縁３６より上方に位置させているので、この先端部２９が、閉鎖弁カバー４にて塞がれず、外側方へ開口する状態となる。これによって、この先端部２９内への水誘導性が向上し、側板３と閉鎖弁カバー４との間への閉鎖弁カバー４の上端縁３６に沿った水の浸入を減少させることができる。
【００１１】
【発明の実施の形態】
次に、この発明の空気調和機の室外機の具体的な実施の形態について、図面を参照しつつ詳細に説明する。
【００１２】
図５は空気調和機の室外機の斜視図を示し、この室外機は、室外機ケーシング１を備える。この室外機ケーシング１は、底板２（図４参照）と、この底板２の側部から立設される側板３（右側の側板）と、この側板３の外側面３ａを外側方から被覆する閉鎖弁カバー４と、左側の側板（図示省略）と、天板５と、前方開口部を塞ぐ前板６と、底板２の側部から立設される閉鎖弁取付板７等を有する。また、室外機ケーシング１には、図示省略の圧縮機、熱交換器、及びファン等が内装され、さらには、電装品箱８（図４参照）が内装される。なお、閉鎖弁取付板７には、液閉鎖弁９とガス閉鎖弁１０が取り付けられる。
【００１３】
側板３は、その断面が概略Ｌ字状のもので、図２と図４に示すように、その下方横辺２１に切欠１１を有する矩形板状体からなる第１部１２と、この第１部１２から連設される矩形板状体からなる第２部１３とを備えている。そして、第１部１２の上部に、窓部１４が貫設され、この窓部１４の下端縁から突出片１５が内方へ突設されている。なお、この突出片１５は、図３に示すように、下端縁から順次内方側へ傾斜する傾斜部１５ａと、この傾斜部１５ａの先端（上端）から上方に延びる鉛直部１５ｂと、この鉛直部１５ｂの上端からさらに内方へ延びる水平部１５ｃとからなる。
【００１４】
また、側板３の外側面３ａ、つまり第１部１２の外側面には、図２に示すように、倒立Ｕ字状の合わせ面Ａが形成され、この合わせ面Ａに、この側板３の上方横辺２２から一方（前面側）の縦辺１８に沿って水案内用凹溝２０が設けられている。この場合、水案内用凹溝２０は、第１部分２３と第２部分２４と第３部分２５とに分離され、第１部分２３は、上方横辺２２に沿う水平部２６と、円弧状の連設部２７と、この連設部２７を介して水平部２６に連設されて縦辺１８に沿う鉛直部２８とからなり、第２部分２４は、縦辺１８の上下方向略中央部に沿って形成される鉛直部のみからなり、第３部分２５は、縦辺１８の上下方向下部に沿って形成される鉛直部のみからなる。そして、第１部分２３と第２部分２４との間、第２部分２４と第３部分２５との間、及び第３部分２５の下方位置に、後述する閉鎖弁カバー４の係止片１６・・が係脱自在に係止する係止孔１７・・が設けられている。なお、この係止孔１７は他方の縦辺１９側にも設けられている。
【００１５】
水案内用凹溝２０の第１分部２３の水平部２６は、その先端部２９が、連設部２７より上方に位置するように斜め方向に向けて傾斜している。また、第１分部２３の鉛直部２８と、第２部分２４と、第３部分２５と、これらの間に設けられる係止孔１７とは、同一直線（鉛直線）上に配設されている。そして、水案内用凹溝２０は、その断面形状が、図３に示すように、外側方に開口する半円状とされた、いわゆるビードであり、この側板３の強度向上を図ることが可能である。
【００１６】
次に、閉鎖弁カバー４は、図４と図５に示すように、その外側方に膨出する大膨出部３０が設けられ、この大膨出部３０の下部にさらに外側方に膨出する小膨出部３１が設けられると共に、この大膨出部３０の上部に、把持用凹所３２が設けられている。また、図３に示すように、閉鎖弁カバー４の裏面側には、把持用凹所３２の底面を形成する底壁３３が突出していると共に、この把持用凹所３２より上方の突出壁３４から突出片３５が突出し、閉鎖弁カバー４が側板３に取付けられた際には、この底壁３３及び突出片３５が側板３の窓部１４に嵌合（挿入）状となる。そして、閉鎖弁カバー４の裏面の合わせ面Ｂには、側板３の係止孔１７に対応して、所定ピッチで上記係止片１６・・が設けられている。
【００１７】
側板３に閉鎖弁カバー４が取付けられた状態では、図３に示すように、側板３の合わせ面Ａが、閉鎖弁カバー４の合わせ面Ｂと合わされ、水案内用凹溝２０の水平部２６は、その先端部２９が閉鎖弁カバー４の上端縁３６より上方に位置すると共に、その連設部２７がこの上端縁３６より下方に位置し、連設部２７と鉛直部２８、第２部分２４、及び第３部分２５は閉鎖弁カバー４に被覆されることになる。従って、水案内用凹溝２０は、その水平部２６の一部分を省いて、閉鎖弁カバー４の合わせ面Ｂに、その開口部が塞がれることになる。なお、図１に示すように、天板５の垂下片３７は、側板３の上端部４２に対して外嵌状となっているが、この場合、この垂下片３７の下端縁３８が閉鎖弁カバー４の上端縁３６より僅か上方に位置し、水平部２６の先端部２９の一部が、垂下片３７の下端縁３８と略同一又はこの下端縁３８より上方に位置する。また、閉鎖弁カバー４の前面側の縦辺４３は、側板３の一方の縦辺１８側の上下方向に延びる合わせ用端部４４より内側に位置する。なお、この合わせ用端部４４は、図５に示すように、前板６の折曲片４５が係止状となるものである。
【００１８】
ところで、上記の如く構成された側板３と閉鎖弁カバー４を組み付けるには、まず、側板３を底板２に組み付ける。すなわち、図４に示すように、外側方からボルト部材４０を螺着して側板３を底板２の側部に固定する。この場合、側板３は、この側板３の切欠１１が閉鎖弁取付板７に嵌合した状態で、この底板２の側部から立設される。その後は、図示省略の裏面側の保護金網および左側板等を取り付けた後、天板５と前板６を取り付けて、図５に示す状態とする。次に、閉鎖弁カバー４の係止片１６・・を側板３の係止孔１７に係止させ、この状態で外側方からボルト部材４１を螺着すれば、この閉鎖弁カバー４を側板３に取付けることができる。
【００１９】
上記のように構成された室外機によれば、水案内用凹溝２０の水平部２６が上方横辺２２に沿って配設されているので、側板３に閉鎖弁カバー４が取付けられた状態では、仮に天板５側から閉鎖弁カバー４側へ水が流下して、閉鎖弁カバー４の上端縁３６からこの閉鎖弁カバー４と側板３との間に水が浸入したとしても、この浸入した水をこの水平部２６にて受けることができる。そして、この水平部２６に入った水は、水平部２６が連設部２７側に傾斜しているので、この連設部２７側へ流れ、この連設部２７を介して鉛直部２８へ流れることになる。その後は、第２部分２４と第３部分２５に案内されて下方へ流れ、機外に排出される。また、水平部２６の先端部２９が閉鎖弁カバー４の上端縁３６より上方に位置しているので、この先端部２９が、閉鎖弁カバー４にて塞がれず、外側方へ開口する状態となる。これによって、この先端部２９内への水誘導性が向上し、側板３と閉鎖弁カバー４との間への閉鎖弁カバー４の上端縁３６に沿った水の浸入を減少させることがでる。このように、水案内用凹溝２０によって、側板３側から機内への水の流入の防止ができて、電装品箱８側、延いては電装品部及び端子盤部側への水の流入を防止することが可能となる。このため、この室外機は長期に渡って安定して駆動をすることが可能となる。しかも、側板３に水案内用凹溝２０を設ければよいのであって、面倒な製造工程や他の部品を新たに製造する必要がなく、コストの低減を図ることが可能となる。
【００２０】
以上にこの発明の具体的な実施の形態について説明したが、この発明は上記形態に限定されるものではなく、この発明の範囲内で種々変更して実施することができる。例えば、水案内用凹溝２０の水平部２６の傾斜角度としては、この水平部２６に入った水が滑らかに連設部２７側へ流れて鉛直部２８へ流入すると共に、一旦この水平部２６に入った水が外部へ流出しない範囲であれば、変更可能あり、連設部２７の曲率半径としても、水平部２６の水を鉛直部２８に案内できるものであれば、変更可能である。また、水案内用凹溝２０の形成部位としては、上方横辺２２から他方の縦辺１９に沿ったものであってもよい（すなわち、図２において、中心線Ｍに関して対称位置に水案内用凹溝２０を形成してもよい）。また、上記実施の形態では、第１分部２３の鉛直部２８と、第２部分２４と、第３部分２５と、これらの間に設けられる係止孔１７とは、同一直線（鉛直線）上に配設されているが、水案内用凹溝２０に対して係止孔１７をずらせてもよい。係止孔１７をずらせば、第１部分２３と第２部分２４と第３部分２５とを連続したものとすることができ、水案内用凹溝２０に入った水をより確実に機外に排出するこができる。さらに、水案内用凹溝２０の断面形状としては、半円形状に限らず、半楕円形状、三角形状、半多角形状等であってもよく、水案内用凹溝２０の容量としても、水案内用凹溝２０に入った水が溢れることなく、順次流れるものであればよい。
【００２１】
【発明の効果】
上記請求項１の空気調和機の室外機では、電装品箱側への水の浸入を防止して、電装品箱の電装品部や端子盤部への水の浸入を防止することでき、この室外機を長期に渡って安定して駆動させることが可能となる。さらに、水案内用凹溝は、側板の上方横辺から一方の縦辺に沿って、設けられるものであり、この水案内用凹溝としては、強度向上のためのビードをもって形成することができ、この側板形成の際に面倒な加工工程を必要とせず、生産性に優れ、かつ形成された側板の強度向上を図ることが可能となる。しかも、水浸入防止のために、別途他の部品を必要とせず、組立作業の簡素化が可能となると共に、コストの低減を図ることが可能となる。また、水平部に流入した水は、連設部側へ流れやすくなる。このため、水平部に水が溜まりにくく、水がこの水平部から溢れて電装品箱側へ流れるおそれが極めて低くなり、電装品箱側への水浸入防止性が優れることになる。さらに、水平部の先端部内への水誘導性が向上し、側板と閉鎖弁カバーとの間への閉鎖弁カバーの上端縁に沿った水の浸入を減少させることができ、電装品箱側への水浸入防止性がより優れることになる。
【図面の簡単な説明】
【図１】この発明の一実施形態の空気調和機の室外機の要部拡大側面図である。
【図２】空気調和機の室外機の側板の側面図である。
【図３】空気調和機の室外機の要部拡大断面図である。
【図４】空気調和機の室外機の要部分解斜視図である。
【図５】空気調和機の室外機の斜視図である。
【符号の説明】
２  底板
３  側板
３ａ  外側面
４  閉鎖弁カバー
８  電装品箱
１８  縦辺
２０  水案内用凹溝
２２  上方横辺
２６  水平部
２７  連設部
２９  先端部
３６  上端縁
【図１】
0003598955.tif 000002
【図２】
0003598955.tif 000003
【図３】
0003598955.tif 000004
【図４】
0003598955.tif 000005
【図５】
0003598955.tif 000006